(57)【要約】【課題】手洗い吐水口から吐水される洗浄水の整流化と、手洗い吐水前の吐水口内の残水による水膜破裂の抑制との両立を実現することができる手洗い器付き洗浄水タンク装置及びそれを備えた水洗大便器を提供する。【解決手段】本発明の手洗い器付き洗浄水タンク装置１は、洗浄水タンク２０の上部に設けられた手洗い器２４を備え、この手洗い器の手洗い吐水口２８には、洗浄水を整流する筒状の整流部４８が設けられており、この整流部は、その軸方向に対して直交する第１区画壁７２，７４により区画されて複数の開口を上流側に形成する第１分流部５０と、この第１分流部よりも下流側に設けられて且つ整流部の軸方向に対して直交する第２区画壁７６，７８により区画されて複数の開口を形成する第２分流部５２と、を備えている。【選択図】図１０
2020128654.tif 000002
【特許請求の範囲】
【請求項１】
洗浄水を便器に供給する手洗い器付き洗浄水タンク装置であって、
便器洗浄用の洗浄水が貯水される洗浄水タンクと、
この洗浄水タンクの上部に設けられた手洗い器であって、手洗い用の洗浄水を吐水する手洗い吐水口を含む手洗い吐水部と、この手洗い吐水部から吐水された洗浄水を受ける手洗いボウル部と、この手洗いボウル部内の洗浄水を排出させる手洗い排水口と、を備えた上記手洗い器と、
上記手洗い吐水口に設けられて上記手洗い吐水口を通過する洗浄水を整流する筒状の整流部と、を有し、
上記整流部は、その軸方向に対して直交する第１区画壁により区画されて複数の開口を上流側に形成する第１分流部と、この第１分流部よりも下流側に設けられて且つ上記整流部の軸方向に対して直交する第２区画壁により区画されて複数の開口を形成する第２分流部と、を備えており、
上記第１分流部は、その上流側から流入した洗浄水を分流するように構成され、上記第２分流部は、上記第１分流部で分流した洗浄水をさらに分流するように構成されていることを特徴とする手洗い器付き洗浄水タンク装置。
【請求項２】
上記第１分流部の開口を形成する上記第１区画壁及び上記第２分流部の開口を形成する上記第２区画壁のそれぞれは、互いに上記整流部の軸方向に重なり合わないように配置されている請求項１記載の洗浄水タンク装置。
【請求項３】
上記第１分流部及び上記第２分流部のそれぞれは、互いに上記整流部の軸方向に連続するように設けられている請求項１又は２に記載の洗浄水タンク装置。
【請求項４】
上記第１分流部及び上記第２分流部のそれぞれは、その中心部を軸方向に延びるように形成されている単一の内側整流通路部と、この内側整流通路部の外側に放射状に形成されている複数の外側整流通路部と、を備えており、
上記第１分流部及び上記第２分流部のそれぞれの外側整流通路部の開口断面積は、上記第１分流部及び上記第２分流部のそれぞれの内側整流通路部の開口断面積よりも大きくなるように設定されている請求項１乃至３の何れか１項に記載の洗浄水タンク装置。
【請求項５】
上記第２分流部の内側整流通路部は、その下端が上記第２分流部の外側整流通路部の下端よりも下方に位置し且つ上記整流部全体の下端よりも上方に位置している請求項４記載の洗浄水タンク装置。
【請求項６】
上記第２分流部の外側整流通路部の外径は、上記第１分流部の外側整流通路部の外径よりも小さい請求項４又は５に記載の洗浄水タンク装置。
【請求項７】
上記請求項１乃至６の何れか１項に記載の手洗い器付き洗浄水タンク装置を備えた水洗大便器。
【発明の詳細な説明】
【技術分野】
【０００１】
本発明は、手洗い器付き洗浄水タンク装置及びそれを備えた水洗大便器に係り、特に、洗浄水を便器に供給する手洗い器付き洗浄水タンク装置及びそれを備えた水洗大便器に関する。
【背景技術】
【０００２】
従来から、洗浄水を便器に供給する手洗い器付き洗浄水タンク装置及びそれを備えた水洗大便器として、例えば、特許文献１に記載されているものが知られている。
このような従来の手洗い器付き洗浄水タンク装置においては、洗浄水タンクの上部に手洗い器が設けられており、この手洗い器のボウル部の後方に設けられたスパウトの吐水口からボウル部の底面の排水口に向けて手洗い用の洗浄水が吐水されるようになっている。
また、スパウトの吐水口の内部には、吐水される洗浄水を整流可能にする整流部として整流部材が設けられている。この整流部材においては、比較的開口が大きく形成された内側整流孔が設けられていると共に、この内側整流孔の半径方向外側には、比較的開口が小さな外側整流孔が放射状に複数配列されている。
これらにより、外側整流孔を通過した洗浄水は整流されると共に、内側整流孔を通過した洗浄水に引き寄せられるため、周囲への飛散を抑制しながら整流させた洗浄水を吐水することができるようになっている。
【先行技術文献】
【特許文献】
【０００３】
【特許文献１】特開２０１８−１０９２７２号公報
【発明の概要】
【発明が解決しようとする課題】
【０００４】
しかしながら、上述した特許文献１に記載されている従来の手洗い器付き洗浄水タンク装置においては、手洗い吐水の停止後において、各整流孔（特に開口の小さな外側整流孔）に表面張力による水膜が形成されるため、残水が生じてしまうという問題がある。
これにより、次回の手洗い吐水が行われる際には、吐水口の内部の圧縮された空気が吐水口から押し出されるため、吐水開始に先立って、このような残水の水膜が破裂し、洗浄水が弾けるように押し出されてしまう、いわゆる、「吐水前水膜破裂現象」が生じてしまうという問題がある。
したがって、このような吐水前水膜破裂現象をいかに抑制するかが要請された課題となっている。
【０００５】
そこで、本発明は、上述した従来技術の問題や要請された課題を解決するためになされたものであり、手洗い吐水口から吐水される洗浄水の整流化と、手洗い吐水前の吐水口内の残水による水膜破裂の抑制との両立を実現することができる手洗い器付き洗浄水タンク装置を備えた水洗大便器を提供することを目的としている。
【課題を解決するための手段】
【０００６】
上述した課題を解説するために、本発明は、洗浄水を便器に供給する手洗い器付き洗浄水タンク装置であって、便器洗浄用の洗浄水が貯水される洗浄水タンクと、この洗浄水タンクの上部に設けられた手洗い器であって、手洗い用の洗浄水を吐水する手洗い吐水口を含む手洗い吐水部と、この手洗い吐水部から吐水された洗浄水を受ける手洗いボウル部と、この手洗いボウル部内の洗浄水を排出させる手洗い排水口と、を備えた上記手洗い器と、上記手洗い吐水口に設けられて上記手洗い吐水口を通過する洗浄水を整流する筒状の整流部と、を有し、上記整流部は、その軸方向に対して直交する第１区画壁により区画されて複数の開口を上流側に形成する第１分流部と、この第１分流部 よりも下流側に設けられて且つ上記整流部の軸方向に対して直交する第２区画壁により区画されて複数の開口を形成する第２分流部と、を備えており、上記第１分流部は、その上流側から流入した洗浄水を分流するように構成され、上記第２分流部は、上記第１分流部で分流した洗浄水をさらに分流するように構成されていることを特徴としている。
このように構成された本発明においては、手洗い吐水部における手洗い吐水口の整流部に流入した洗浄水は、第１分流部の複数の開口を通過することにより分流されて整流化される。その後、洗浄水は、第２分流部の複数の開口を通過することによりでさらに分流されて整流化される。
これにより、整流部を通過する洗浄水について、第１分流部から第２分流部へと段階的に整流化して細分化することができるため、整流部全体における整流効果を高めることができる。
また、第１分流部から第２分流部への段階的な整流化により、第１分流部及び第２分流部の各区画壁により分断された複数の開口のそれぞれの開口断面積を比較的大きく設定することができるため、整流部内の残水が発生し難くなる。
これらの結果、手洗い吐水口から吐水される洗浄水の整流化と、手洗い吐水前の整流部の残水による水膜破裂の抑制との両立を実現することができる。
【０００７】
本発明において、好ましくは、上記第１分流部の開口を形成する上記第１区画壁及び上記第２分流部の開口を形成する上記第２区画壁のそれぞれは、互いに上記整流部の軸方向に重なり合わないように配置されている。
このように構成された本発明においては、第１分流部の開口の第１区画壁及び第２分流部の開口の第２区画壁のそれぞれが、互いに整流部の軸方向に重なり合わないように配置されているため、第１分流部の複数の開口を通過して分流した洗浄水について、第２分流部において複数の開口のそれぞれに確実に分流させて整流化することができる。
これにより、整流部全体における整流効果を高めることができると共に、手洗い吐水前の整流部の残水による水膜破裂を効果的に抑制することができる。
【０００８】
本発明において、好ましくは、上記第１分流部及び上記第２分流部のそれぞれは、互いに上記整流部の軸方向に連続するように設けられている。
このように構成された本発明においては、第１分流部及び第２分流部のそれぞれが互いに上記整流部の軸方向に連続するように設けられているため、第１分流部で分流された洗浄水は、この分流された状態を維持した状態で速やかに第２分流部に流入することできる。
したがって、第１分流部から第２分流部へと段階的な洗浄水の分流を確実に行うことができるため、確実に整流効果を高めることができる。
【０００９】
本発明において、好ましくは、上記第１分流部及び上記第２分流部のそれぞれは、その中心部を軸方向に延びるように形成されている単一の内側整流通路部と、この内側整流通路部の外側に放射状に形成されている複数の外側整流通路部と、を備えており、上記第１分流部及び上記第２分流部のそれぞれの外側整流通路部の開口断面積は、上記第１分流部及び上記第２分流部のそれぞれの内側整流通路部の開口断面積よりも大きくなるように設定されている。
このように構成された本発明においては、第１分流部及び第２分流部のそれぞれの外側整流通路部の開口断面積が、第１分流部及び第２分流部のそれぞれの内側整流通路部の開口断面積よりも大きくなるように設定されているため、外側整流通路部の開口を大きく形成することにより外側整流通路部の残水を抑制することができると共に、内側整流通路部を通過する洗浄水の流速を高めることができる。
したがって、第１分流部及び第２分流部のそれぞれの外側整流通路部を流れる洗浄水について、その内側の内側整流通路部を流れる流速が比較的高い洗浄水に引き込まれる求心作用が生ずる。このような求心作用により、第１分流部及び第２分流部のそれぞれの外側整流通路部を流れる洗浄水について、周囲への飛散を抑制して乱流の発生をし難くすることができると共に、残水を抑制することができる。
【００１０】
本発明において、好ましくは、上記第２分流部の内側整流通路部は、その下端が上記第２分流部の外側整流通路部の下端よりも下方に位置し且つ上記整流部全体の下端よりも上方に位置している。
このように構成された本発明においては、第２分流部の内側整流通路部について、その下端が第２分流部の外側整流通路部の下端よりも下方に位置しているため、第２分流部の外側整流通路部を通過した洗浄水を内側整流通路部の下端側に向けて導くことができる。
したがって、第２分流部の外側整流通路部の下端付近の洗浄水の表面張力を効果的に破壊することができ、残水の発生を抑制することができる。
また、第２分流部の内側整流通路部について、その下端が整流部全体の下端（整流部の最下端）よりも上方に位置するように延びているため、第２分流部の内側整流通路部の下端付近の洗浄水を整流部全体の下端に向けて導くことができる。
したがって、第２分流部の内側整流通路部の下端付近や整流部全体の下端付近の洗浄水の表面張力を効果的に破壊することができ、残水の発生を抑制することができる。
【００１１】
本発明において、好ましくは、上記第２分流部の外側整流通路部の外径は、上記第１分流部の外側整流通路部の外径よりも小さい。
このように構成された本発明においては、第２分流部の外側整流通路部の外径が第１分流部の外側整流通路部の外径よりも小さいため、第１分流部の外側整流通路部から第２分流部の外側整流通路部に分流する洗浄水について、内側に誘導して縮流させることができる。
したがって、第１分流部及び第２分流部のそれぞれの外側整流通路部を流れる洗浄水について、周囲への飛散を抑制して乱流の発生をし難くすることができると共に、残水を抑制することができる。
【００１２】
また、本発明は、上記手洗い器付き洗浄水タンク装置を備えた水洗大便器である。
このように構成された本発明においては、手洗い吐水口から吐水される洗浄水の整流化と、手洗い吐水前の整流部の残水による水膜破裂の抑制との両立を実現することができる手洗い器付き洗浄水タンク装置を備えた水洗大便器を提供することができる。
【００１３】
本発明の手洗い器付き洗浄水タンク装置及びそれを備えた水洗大便器によれば、手洗い吐水口から吐水される洗浄水の整流化と、手洗い吐水前の吐水口内の残水による水膜破裂の抑制との両立を実現することができる。
【図面の簡単な説明】
【００１４】
【図１】本発明の一実施形態による手洗い器付き洗浄水タンク装置及びそれを備えた水洗大便器の概略側面断面図である。
【図２】本発明の一実施形態による手洗い器付き洗浄水タンク装置の概略正面断面図である。
【図３】本発明の一実施形態による手洗い器付き洗浄水タンク装置の手洗吐水口に組み込まれる整流部材の正面図である。
【図４】本発明の一実施形態による手洗い器付き洗浄水タンク装置の整流部材の上面図である。
【図５】図３のＶ−Ｖ線に沿った断面図である。
【図６】図３のＶＩ−ＶＩ線に沿った断面図である。
【図７】図３のＶＩＩ−ＶＩＩ線に沿った断面図である。
【図８】図４のＶＩＩＩ−ＶＩＩＩ線に沿った断面図である。
【図９】図４のＩＸ−ＩＸ線に沿った断面図である。
【図１０】本発明の一実施形態による手洗い器付き洗浄水タンク装置の整流部材の縦断面斜視図である。
【発明を実施するための形態】
【００１５】
つぎに、図１〜図１０を参照して、本発明の一実施形態による手洗い器付き洗浄水タンク装置及びそれを備えた水洗大便器について説明する。
まず、図１は、本発明の一実施形態による手洗い器付き洗浄水タンク装置及びそれを備えた水洗大便器の概略側面断面図である。
図１に示すように、本発明の一実施形態による手洗い器付き洗浄水タンク装置１は、水洗大便器２の便器本体４の上面における便座６及びその上面を覆う便蓋８の後方側に設けられている。
また、便器本体４は、汚物を受けるボウル１０と、このボウル１０の後方（上流側）に形成される導水路１２と、ボウル１０の下部と連通するトラップ管路１４と、をそれぞれ備えている。
さらに、便器本体４は、ボウル１０の上縁に形成されて内側にオーバーハングしたリム１６を備えている。このリム１６の後方側には、導水路１２から供給される洗浄水を吐水するリム吐水口１８が形成されている。このリム吐水口１８から吐水された洗浄水は、ボウル１０内を旋回しながら下降し、ボウル１０内全体が洗浄されるようになっている。
【００１６】
なお、水洗大便器２としては、便器本体４のボウル（図示せず）内の水の落差による流水作用で汚物を押し流す、いわゆる、洗い落し式の水洗大便器の例について説明するが、このような洗い落し式の水洗大便器に限定されず、サイホン作用を利用して便器本体４のボウル内の汚物を吸い込んで排水トラップ管路から一気に外部に排出する、いわゆる、サイホン式の水洗大便器等の他のタイプの水洗大便器にも適用可能である。
【００１７】
つぎに、本発明の一実施形態による手洗い器付き洗浄水タンク装置の概略正面断面図である。
図１及び図２に示すように、本実施形態による手洗い器付き洗浄水タンク装置１は、便器洗浄用の洗浄水を便器本体４の導水路１２に供給するものである。
具体的には、手洗い器付き洗浄水タンク装置１は、洗浄水タンクとして、陶器製の外装タンク２０と、この外装タンク２０内に収容された内装タンク２２と、を備えている。
また、手洗い器付き洗浄水タンク装置１は、外装タンク２０の上部に設けられた手洗い器２４を備えている。この手洗い器２４は、手洗い用の洗浄水を吐水する手洗い吐水部（スパウト２６、手洗い吐水口２８）と、この手洗い吐水口２８（詳細は後述する）から吐水された洗浄水を受ける手洗いボウル部（手洗いボウル３０）と、この手洗いボウル３０内の洗浄水を排出させる手洗い排水口３２と、を備えている。
【００１８】
つぎに、図２に示すように、内装タンク２２は、便器洗浄用の洗浄水を貯水する実質的な貯水タンクとして機能しており、その内部に貯水された洗浄水について重力を利用して底部の排水口２２ａから排出することにより便器本体４の導水路１２に洗浄水を供給する、いわゆる、重力給水式の貯水タンクである。
また、図２に示すように、内装タンク２２の内部には、給水弁装置３４及び排水弁装置３６がそれぞれ設けられている。
水道等の給水源３８に接続されている給水管４０から供給された便器洗浄用の洗浄水は、給水弁装置３４により内装タンク２２内に給水され、内装タンク２２内に貯水された洗浄水は排水弁装置３６により排水されるようになっている。
ここで、給水弁装置３４は、給水路（図示せず）を開閉する給水バルブ（図示せず）や、給水動作及び止水動作のタイミングを調整するフロート３４ａ等を備えているが、これらの詳細な構造については、従来のものと同様であるため、説明を省略する。
また、給水弁装置３４は、給水管４０から給水された洗浄水について内装タンク２２内に洗浄水を直接的に給水するタンク側給水管（図示せず）、及び、このタンク側給水管（図示せず）から分岐して手洗い器２４のスパウト２６の上流側に接続される手洗い器側給水管４２をそれぞれ備えている。
これらにより、タンク給水管（図示せず）に供給された洗浄水の一部は、手洗い器側給水管４２を経てスパウト２６に供給されるようになっている。
そして、スパウト２６の手洗い吐水口２８から手洗いボウル３０内に吐水された洗浄水は、手洗い器２４における手洗いに利用され、手洗い排水口３２から水受けユニット４４を経て内装タンク２２内に排出され、便器洗浄用の洗浄水として利用されるようになっている。
【００１９】
つぎに、図２に示すように、排水弁装置３６は、内装タンク２２の排水口２２ａを開閉する排水弁体３６ａを備えており、内装タンク２２内の洗浄水を便器本体４の導水路１２に排水するものである。
この排水弁装置３６の詳細な構造については、従来のものと同様であるため、説明を省略する。
また、図２に示すように、洗浄水タンク装置１は、排水弁装置３６を操作するための操作装置４６を備えている。この操作装置４６の詳細な構造については、従来のものと同様のものであるため、説明を省略する。
さらに、本実施形態では、操作装置４６の操作により、大洗浄、小洗浄、及び、エコ小洗浄の３種類の大中小の洗浄水量のうちのいずれかの洗浄水量を適宜選択して便器洗浄を行うことができる構造になっているが、大洗浄のみで便器洗浄を行うものであってもよいし、大洗浄及び小洗浄の２種類の洗浄水量で便器洗浄を行うものであってもよい。
【００２０】
つぎに、図１〜図１０を参照して、手洗い器付き洗浄水タンク装置１の手洗い器２４のスパウト２６の手洗い吐水口２８に関する具体的な構造について説明する。
まず、図１及び図２に示すように、手洗い器２４のスパウト２６の手洗い吐水口２８の内部には、整流部材４８が組み込まれている。この整流部材４８により、手洗い吐水口２８から吐水される洗浄水の整流化と、手洗い吐水前の整流部の残水による水膜破裂の抑制との両立を実現することができるようになっている。
【００２１】
つぎに、図３〜図１０を参照して、整流部材４８の具体的な構造について説明する。
図３は、本発明の一実施形態による手洗い器付き洗浄水タンク装置の手洗吐水口に組み込まれる整流部材の正面図である。また、図４は、本発明の一実施形態による手洗い器付き洗浄水タンク装置の整流部材の上面図である。さらに、図５〜図７のそれぞれは、図３のＶ−Ｖ線、ＶＩ−ＶＩ線、ＶＩＩ−ＶＩＩ線に沿った断面図である。また、図８及び図９のそれぞれは、図４のＶＩＩＩ−ＶＩＩＩ線、ＩＸ−ＩＸ線に沿った断面図である。さらに、図１０は、本発明の一実施形態による手洗い器付き洗浄水タンク装置の整流部材の縦断面斜視図である。
【００２２】
図３〜図１０に示すように、整流部材４８は、その横断面形状が円形形状であり、全体形状が概ね円筒形状に形成されている。
図４〜図１０に示すように、整流部材４８の内部においては、その軸方向の上端（上流）から下端（下流）に向かって、第１分流部５０、第２分流部５２、及び、合流部５４をそれぞれ備えている。
また、図４〜図１０に示すように、第１分流部５０は、整流部材４８の内部上方側（上流側）に設けられており、その横断面の中心側から径方向外側に向かって、単一の内側整流通路部（単一の第１内側整流通路５６）及び複数の外側整流通路部（２つの第１外側整流通路６０，６２）をそれぞれ備えている。
同様に、第２分流部５２のそれぞれは、第１分流部５０の下側（下流側）に設けられており、その横断面の中心側から径方向外側に向かって、単一の内側整流通路部（単一の第２内側整流通路５８）及び複数の外側整流通路部（２つの第２外側整流通路６４，６６）をそれぞれ備えている。
【００２３】
図４〜図１０に示すように、単一の第１内側整流通路５６及び第２内側整流通路５８のそれぞれは、各分流部５０，５２の横断面の中心を含み且つ軸方向（中心軸線Ｃ１の方向）に円筒状に延びる単一の開口通路を形成している。
つぎに、図４〜図１０に示すように、第１外側整流通路６０，６２及び第２外側整流通路６４，６６のそれぞれは、各内側整流通路５６，５８の外周側の区画壁６８，７０のそれぞれから径方向外側に向かって放射状に複数（２つ）の開口通路を形成している。
また、図４〜図１０に示すように、第１外側整流通路６０，６２のそれぞれは、第１内側整流通路５６の外周側の区画壁６８の前後両端のそれぞれから前後方向（中心軸線Ｃ１に対して直交する方向）に延びる第１区画壁（区画壁７２，７４）により、互いに周方向に仕切られている。
同様に、図４〜図１０に示すように、第２外側整流通路６４，６６のそれぞれは、第２内側整流通路５８の外周側の区画壁７０の左右両端のそれぞれから左右方向（中心軸線Ｃ１に対して直交する方向）に延びる第２区画壁（区画壁７６，７８）により、互いに周方向に仕切られている。
さらに、図７〜図１０に示すように、合流部５４においては、第２分流部５２の第２内側整流通路５８の下端よりも下方側（下流側）に単一の合流通路８０が形成されている。
【００２４】
つぎに、図４〜図６及び図８〜図１０に示すように、第１分流部５０の第１外側整流通路６０，６２の各区画壁７２，７４及び第２分流部５２の第２外側整流通路６４，６６の各区画壁７６，７８は、互いに整流部材４８の軸方向に重なり合わないように配置されている。
また、図４〜図６及び図８〜図１０に示すように、第１分流部５０及び第２分流部５２のそれぞれは、互いに整流部材４８の軸方向に連続するように設けられている。ここで、「連続」とは、分流した洗浄水が再び合流しない程度に軸方向に連なって設けられていればよい。
すなわち、第１内側整流通路５６及び第２内側整流通路５８のそれぞれは、互いに軸方向に連続的に形成された単一の整流通路となっている。
さらに、第１外側整流通路６０，６２及び第２外側整流通路６４，６６のそれぞれについても、互いに軸方向に連通する複数の整流通路となっている。
【００２５】
つぎに、図５及び図６に示すように、第１分流部５０の各外側整流通路６０，６２の開口断面積Ｓ１，Ｓ２は、互いに等しく設定されている（Ｓ１＝Ｓ２）。また、これらの開口断面積Ｓ１，Ｓ２は、第１分流部５０の第１内側整流通路５６の開口断面積Ｓ３よりも大きくなるように設定されている（Ｓ１，Ｓ２＞Ｓ３）。
同様に、図５及び図６に示すように、第２分流部５２の各外側整流通路６４，６６の開口断面積Ｓ４，Ｓ５は、互いに等しく設定されている（Ｓ４＝Ｓ５）。また、これらの開口断面積Ｓ４，Ｓ５は、第２分流部５２の第２内側整流通路５８の開口断面積Ｓ６よりも大きくなるように設定されている（Ｓ４，Ｓ５＞Ｓ６）。
また、図５、図６及び図８に示すように、第２分流部５２の第２外側整流通路６４，６６の最大外径（最大直径Ｄ２）は、第１分流部５０の第１外側整流通路６０，６２の最大外径（最大直径Ｄ１）よりも小さくなるように設定されている（Ｄ２＜Ｄ１）。
さらに、図８に示すように、第２分流部５２の第２内側整流通路５８は、その下端が第２分流部５２の第２外側整流通路部６４，６６の下端（より具体的には、区画壁７６，７８の下端）よりも下方に位置し、かつ、整流部材４８の全体の下端（より具体的には、合流部５４の合流通路８０の下端）よりも上方に位置している。
【００２６】
つぎに、図１〜図１０を参照して、上述した本発明の一実施形態による手洗い器付き洗浄水タンク装置１の作用効果について説明する。
まず、本発明の一実施形態による手洗い器付き洗浄水タンク装置１によれば、手洗い器２４のスパウト２６内の洗浄水の流れＦ０（図１０参照）は、手洗い吐水口２８の整流部材４８に流入する際、第１分流部５０の第１内側整流通路５６の単一の開口及び第１外側整流通路６０，６２の複数（２つ）の開口のそれぞれに分流する流れ（図１０のＦ１，Ｆ２，Ｆ３参照）を形成する。そして、各流れＦ１，Ｆ２，Ｆ３は、それぞれの対応する各整流通路５６，６０，６２内を通過することにより整流化される。
その後、第１分流部５０の第１内側整流通路５６を通過した洗浄水（図１０の流れＦ１参照）は、第２分流部５２の単一の第２内側整流通路５８を通過する。
一方、第１分流部５０の各外側整流通路６０，６２を通過した洗浄水（図１０の流れＦ２，Ｆ３参照）は、第２分流部５２の第２外側整流通路６４，６６のそれぞれにさらに分流する流れ（図１０の流れＦ４，Ｆ５，Ｆ６，Ｆ７参照）を形成する。そして、各流れＦ４，Ｆ５，Ｆ６，Ｆ７は、それぞれの対応する各整流通路６４，６６を通過することにより整流化される。
これにより、整流部材４８を通過する洗浄水について、上流側の第１分流部５０から下流側の第２分流部５２へと段階的に分流させることにより、整流化させて細分化することができるため、整流部材４８の全体における整流効果を高めることができる。
また、第１分流部５０から第２分流部５２への段階的な整流化により、第１分流部５０及び第２分流部５２の内側整流通路５６，５８及び外側整流通路６０，６２，６４，６６のそれぞれの開口断面積を比較的大きく設定することができるため、整流部材４８内の残水が発生し難くなる。
これらの結果、手洗い吐水口から吐水される洗浄水の整流化と、手洗い吐水前の整流部材４８の残水による水膜破裂の抑制との両立を実現することができる。
【００２７】
つぎに、本実施形態による手洗い器付き洗浄水タンク装置１によれば、第１分流部５０の第１外側整流通路６０，６２の区画壁７２，７４及び第２分流部５２の第２外側整流通路６４，６６の区画壁７６，７８のそれぞれが、互いに整流部材４８の軸方向に重なり合わないように配置されている。
これにより、第１分流部５０の第１外側整流通路６０，６２の複数の開口を通過して分流した洗浄水（図１０の流れＦ１，Ｆ２参照）について、第２分流部５２において第２外側整流通路６４，６６の複数の開口のそれぞれに確実に分流する流れ（図１０の流れＦ４，Ｆ５，Ｆ６，Ｆ７参照）を形成することができる。そして、各流れＦ４，Ｆ５，Ｆ６，Ｆ７について、それぞれの対応する各整流通路６４，６６を通過させることにより整流化することができる。
したがって、整流部材４８の全体における整流効果を高めることができると共に、手洗い吐水口２８における手洗い吐水前の整流部材４８の残水による水膜破裂を効果的に抑制することができる。
【００２８】
また、本実施形態による手洗い器付き洗浄水タンク装置１によれば、第１分流部５０及び第２分流部５２のそれぞれの内側整流通路５６，５８及び外側整流通路６０，６２，６４，６６が互いに整流部材４８の軸方向に連続するように設けられている。
これにより、第１分流部５０で内側整流通路５６及び外側整流通路６０，６２のそれぞれに分流された洗浄水（図１０の流れＦ１，Ｆ２，Ｆ３参照）は、この分流された状態を維持した状態で速やかに第２分流部５２の内側整流通路５８及び外側整流通路６４，６６に流入することできる。
したがって、第１分流部５０から第２分流部５２へと段階的な洗浄水の分流を確実に行うことができるため、確実に整流効果を高めることができる。
【００２９】
さらに、本実施形態による手洗い器付き洗浄水タンク装置１によれば、第１分流部５０の各外側整流通路６０，６２の開口断面積Ｓ１，Ｓ２は、互いに等しく設定されている（Ｓ１＝Ｓ２）。また、これらの開口断面積Ｓ１，Ｓ２は、第１分流部５０の第１内側整流通路５６の開口断面積Ｓ３よりも大きくなるように設定されている（Ｓ１，Ｓ２＞Ｓ３）。
同様に、図５及び図６に示すように、第２分流部５２の各外側整流通路６４，６６の開口断面積Ｓ４，Ｓ５は、互いに等しく設定されている（Ｓ４＝Ｓ５）。また、これらの開口断面積Ｓ４，Ｓ５は、第２分流部５２の第２内側整流通路５８の開口断面積Ｓ６よりも大きくなるように設定されている（Ｓ４，Ｓ５＞Ｓ６）。
これらにより、第１外側整流通路６０，６２及び第２外側整流通路６４，６６の開口を大きく形成することにより各外側整流通路６０，６２，６４，６６の残水を抑制することができると共に、各内側整流通路５６，５８を通過する洗浄水（図１０の流れＦ１参照）の流速を高めることができる。
したがって、第１分流部５０及び第２分流部５２のそれぞれの外側整流通路６０，６２，６４，６６を流れる洗浄水（図１０の流れＦ４，Ｆ５，Ｆ６，Ｆ７参照）について、その内側の各内側整流通路５６，５８を流れる比較的流速が高い洗浄水（図１０の流れＦ１参照）に引き込まれる求心作用が生ずる。このような求心作用により、外側整流通路６０，６２，６４，６６を流れる洗浄水について、周囲への飛散を抑制して乱流の発生をし難くすることができると共に、残水を抑制することができる。
【００３０】
つぎに、本実施形態による手洗い器付き洗浄水タンク装置１によれば、第２分流部５２の第２内側整流通路５８は、その下端が第２分流部５２の第２外側整流通路部６４，６６の下端（より具体的には、区画壁７６，７８の下端）よりも下方に位置し、かつ、整流部材４８の全体の下端（より具体的には、合流部５４の合流通路８０の下端）よりも上方に位置している。
これにより、第２分流部５２の第２外側整流通路６４，６６を通過した洗浄水（図１０の流れＦ４，Ｆ５，Ｆ６，Ｆ７参照）を第２内側整流通路５８の下端側に向けて導くことができる。
したがって、第２分流部５２の第２外側整流通路６４，６６の下端付近の洗浄水の表面張力を効果的に破壊することができ、残水の発生を抑制することができる。
また、第２分流部５２の第２内側整流通路５８について、その下端が整流部材４８の全体の下端（より具体的には、合流部５４の合流通路８０の下端）よりも上方に位置しているため、第２分流部５２の第２内側整流通路５８の下端付近の洗浄水を合流部５４の合流通路８０の下端に向けて導くことができる。
したがって、第２分流部５２の第２内側整流通路５８の下端付近や合流部５４の合流通路８０の下端付近の洗浄水の表面張力を効果的に破壊することができ、残水の発生を抑制することができる。
【００３１】
また、本実施形態による手洗い器付き洗浄水タンク装置１によれば、第２分流部５２の第２外側整流通路６４，６６の最大外径（最大直径Ｄ２）が、第１分流部５０の第１外側整流通路６０，６２の最大外径（最大直径Ｄ１）よりも小さくなるように設定されている（Ｄ２＜Ｄ１）。
これにより、第１分流部５０の第１外側整流通路６０，６２のそれぞれの洗浄水（図１０の流れＦ２，Ｆ３参照）が第２分流部５２の第２外側整流通路６４，６６のそれぞれに分流する洗浄水の流れ（図１０の流れＦ４，Ｆ５，Ｆ６，Ｆ７参照）について、内側に誘導して縮流させることができる。
したがって、第１分流部５０及び第２分流部５２のそれぞれの外側整流通路６０，６２，６４，６６を流れる洗浄水について、周囲への飛散を抑制して乱流の発生をし難くすることができると共に、残水を抑制することができる。
【００３２】
なお、上述した本発明の一実施形態による手洗い器付き洗浄水タンク装置１においては、整流部材４８の全体が概ね円筒形状である形態について説明したが、整流部材４８の形状については、横断面形状が円形以外の楕円形状や矩形形状となる、円筒形状以外の筒状形状であってもよい。
【符号の説明】
【００３３】
１      本発明の一実施形態による手洗い器付き洗浄水タンク装置
２      水洗大便器
４      便器本体
６      便座
８      便蓋
１０      ボウル
１２      導水路
１４      トラップ管路
１６      リム
１８      リム吐水口
２０      外装タンク（洗浄水タンク）
２２      内装タンク（洗浄水タンク）
２２ａ    排水口
２４      手洗い器
２６      スパウト（手洗い吐水部）
２８      手洗い吐水口（手洗い吐水部）
３０      手洗いボウル（手洗いボウル部）
３２      手洗い排水口
３４      給水弁装置
３４ａ    フロート
３６      排水弁装置
３６ａ    排水弁体
３８      給水源
４０      給水管
４２      手洗い器側給水管
４４      水受けユニット
４６      操作装置
４８      整流部材（整流部）
５０      第１分流部
５２      第２分流部
５４      合流部
５６      第１内側整流通路（内側整流通路部）
５８      第２内側整流通路（内側整流通路部）
６０      第１外側整流通路（外側整流通路部）
６２      第１外側整流通路（外側整流通路部）
６４      第２外側整流通路（外側整流通路部）
６６      第２外側整流通路（外側整流通路部）
６８      区画壁
７０      区画壁
７２      区画壁（第１区画壁）
７４      区画壁（第１区画壁）
７６      区画壁（第２区画壁）
７８      区画壁（第２区画壁）
８０      合流通路
Ｃ１    中心軸線
Ｄ１    第１分流部の第１外側整流通路の最大外径
Ｄ２    第２分流部の第２外側整流通路の最大外径
Ｆ０    洗浄水の流れ
Ｆ１    洗浄水の流れ
Ｆ２    洗浄水の流れ
Ｆ３    洗浄水の流れ
Ｆ４    洗浄水の流れ
Ｆ５    洗浄水の流れ
Ｆ６    洗浄水の流れ
Ｆ７    洗浄水の流れ
Ｓ１    第１分流部の第１外側整流通路の開口断面積
Ｓ２    第１分流部の第１外側整流通路の開口断面積
Ｓ３    第１分流部の第１内側整流通路の開口断面積
Ｓ４    第２分流部の第２外側整流通路の開口断面積
Ｓ５    第２分流部の第２外側整流通路の開口断面積
Ｓ６    第２分流部の第２内側整流通路の開口断面積
【図１】
2020128654.tif 000003
【図２】
2020128654.tif 000004
【図３】
2020128654.tif 000005
【図４】
2020128654.tif 000006
【図５】
2020128654.tif 000007
【図６】
2020128654.tif 000008
【図７】
2020128654.tif 000009
【図８】
2020128654.tif 000010
【図９】
2020128654.tif 000011
【図１０】
2020128654.tif 000012